(57)【要約】【課題】高速大容量の広帯域無線通信を実現すると共に、アンテナ装置全体の小型化を実現する。【解決手段】アンテナ装置１は、アンテナエレメント３の給電部３ｂから面方向に放射状に離れた折返し部３ｅ，３ｆが接続部５，６を介してグランド４に接続されて２つのループが形成されていると共に、グランド４と同一形状で所定の厚さを有する高誘電体７がグランド４のグランド面４ａに対向する部位に配置されて構成されている。高周波電力が給電部３ｂに給電されると、その給電部３ｂに印加された高周波電流は、アンテナエレメント３の放物線部３ｃ，３ｄに沿って流れ、折返し部３ｅ，３ｆで折返されて接続部５，６を介してグランド４に２つのループを形成して還流する。【選択図】図１
2007274424.tif 000002
【特許請求の範囲】
【請求項１】
平板形状に形成されてなるアンテナエレメントと、平板形状に形成されてなるグランドとを備え、アンテナエレメント面とグランド面とが略同一平面で且つ前記アンテナエレメントの給電部から面方向に沿って放射状に離れた少なくとも２つの折返し部の各々が接続部を介して前記グランドに接続されて少なくとも２つのループが形成されていると共に、前記グランドと略同一形状で所定の厚さを有する高誘電体が前記グランドのグランド面に対向する部位に配置されていることを特徴とするアンテナ装置。
【請求項２】
平板形状に形成されてなるアンテナエレメントと、平板形状に形成されてなるグランドとを備え、アンテナエレメント面とグランド面とが略同一平面で且つ前記アンテナエレメントの給電部から面方向に沿って放射状に離れた少なくとも２つの折返し部の各々が接続部を介して前記グランドに接続されて少なくとも２つのループが形成されていることを特徴とするアンテナ装置。
【請求項３】
請求項１または２に記載したアンテナ装置において、
前記アンテナエレメントと前記グランドとが誘電体基板に形成されている導体パターンから構成されていることを特徴とするアンテナ装置。
【請求項４】
請求項１または２に記載したアンテナ装置において、
前記アンテナエレメントと前記グランドとが導電性板材から構成されていることを特徴とするアンテナ装置。
【請求項５】
請求項１ないし４のいずれかに記載したアンテナ装置において、
前記アンテナエレメントと前記グランドとの対が少なくとも２つ構成され、それらがダイバーシチ受信する位置に配置されていることを特徴とするアンテナ装置。
【請求項６】
請求項１ないし５のいずれかに記載したアンテナ装置において、
前記アンテナエレメントの近傍に無給電素子が配置されていることを特徴とするアンテナ装置。
【発明の詳細な説明】
【技術分野】
【０００１】
本発明は、高速大容量の広帯域無線通信を実現するＵＷＢ通信に用いられるアンテナ装置に関する。
【背景技術】
【０００２】
高速大容量の広帯域無線通信を実現するＵＷＢ通信に用いられるアンテナ装置の１つとして、アンテナエレメント（放射エレメント）として大きさの異なる２つの楕円形状のエレメントと、グランドの代用となる逆Ｕ字形状のエレメントとから構成され、大きな楕円形状のエレメントに小さな楕円形状のエレメントと略同じサイズの楕円穴が形成され、２つの楕円形状のエレメントが同軸ケーブルの中心導体に接続されると共に逆Ｕ字形状のエレメントが同軸ケーブルの外側導体に接続されてなるものがある（例えば非特許文献１参照）。
【非特許文献１】ＮＥＣ技法Ｖｏｌ５８  Ｎｏ２／２００５
【発明の開示】
【発明が解決しようとする課題】
【０００３】
上記した非特許文献１に記載されているものでは、それら２つの楕円形状のエレメント及び逆Ｕ字形状のエレメントをプリント基板に形成されている導体パターンや導電性板材から構成することにより、アンテナ装置全体を平板形状で構成することができ、機器筐体内への搭載性を高めることができる。しかしながら、上記した非特許文献１に記載されているものでは、単純にモノポールアンテナの技術を利用した構成であるので、アンテナ装置全体の小型化という点で十分ではなく、さらなるアンテナ装置全体の小型化が要望されている。
【０００４】
本発明は、上記した事情に鑑みてなされたものであり、その目的は、高速大容量の広帯域無線通信を実現することができ、しかも、アンテナ装置全体の小型化をも実現することができるアンテナ装置を提供することにある。
【課題を解決するための手段】
【０００５】
請求項１に記載した発明によれば、アンテナエレメントの給電部から面方向に沿って放射状に離れた少なくとも２つの折返し部の各々が接続部を介してグランドに接続されて少なくとも２つのループが形成されているので、２次元平面上に形成されたディスコーンアンテナと２つの折返しループアンテナとを組み合わせたアンテナ装置と略同等の構成を実現することができ、特に２つのループアンテナの並列接続が双ループアンテナに近い構成となり、広帯域特性を有するアンテナ装置を実現することができ、高速大容量の広帯域無線通信を実現することができる。また、グランドと略同一形状で所定の厚さを有する高誘電体がグランドのグランド面に対向する部位に配置されているので、波長短縮効果によりグランドの小型化をも実現することができ、アンテナ装置全体の小型化をも実現することができる。
【０００６】
請求項２に記載した発明によれば、アンテナエレメントの給電部から面方向に沿って放射状に離れた少なくとも２つの折返し部の各々が接続部を介してグランドに接続されて少なくとも２つのループが形成されているので、２次元平面上に形成されたディスコーンアンテナと２つの折返しループアンテナとを組み合わせたアンテナ装置と略同等の構成を実現することができ、特に２つのループアンテナの並列接続が双ループアンテナに近い構成となり、広帯域特性を有するアンテナ装置を実現することができ、高速大容量の広帯域無線通信を実現することができる。
【０００７】
請求項３に記載した発明によれば、アンテナエレメントとグランドとが誘電体基板に形成されている導体パターンから構成されているので、例えばエッチングなどの技術を利用して誘電体基板に所定形状の導体パターンを成形することにより、アンテナエレメントとグランドとを容易に形成することができる。
請求項４に記載した発明によれば、アンテナエレメントとグランドとが導電性板材から構成されているので、例えば切欠加工などの技術を利用して導電性板材を所定形状に成形することにより、アンテナエレメントとグランドとを容易に形成することができる。
【０００８】
請求項５に記載した発明によれば、アンテナエレメントとグランドとの対が少なくとも２つ構成され、それらがダイバーシチ受信する位置に配置されているので、少なくとも２つの対のアンテナエレメントとグランドとによりダイバーシチ受信を実現することにより、アンテナ特性を高めることができる。
請求項６に記載した発明によれば、アンテナエレメントの近傍に無給電素子が配置されているので、無給電素子の形状やサイズや配置位置を調整することにより、共振周波数を容易に調整することができ、アンテナ特性を容易に調整することができる。
【発明を実施するための最良の形態】
【０００９】
（第１の実施形態）
以下、本発明を、例えば車載ナビゲーション機器や車載モニタ機器などの車載機器に搭載されるアンテナ装置に適用した第１の実施形態について、図１ないし図４を参照して説明する。
アンテナ装置１において、平板形状に形成されている誘電体基板２の表面２ａ側には、アンテナエレメント３が誘電体基板２の上側に銅箔パターンにより形成され、グランド４が誘電体基板２の下側に銅箔パターンにより形成され、接続部５，６が誘電体基板２の左右端側に銅箔パターンにより形成されている。この場合、アンテナエレメント３のアンテナ面３ａとグランド４のグランド面４ａとは同一平面となっている。
【００１０】
アンテナエレメント３は、その中央下部の給電部３ｂから誘電体基板２の上側隅部に向かって放射状に伸びる略左右対称な放物線部３ｃ，３ｄを有する形状に形成されており、その折返し部３ｅ，３ｆが接続部５，６を介してグランド４に接続されている。グランド４は、アンテナエレメント３の給電部３ｂに対向する接地部４ｂから左右方向に向かって伸びる略左右対称な放物線部４ｃ，４ｄを有する形状に形成されている。また、誘電体基板２の裏面２ｂ側には、グランド４と同一形状で所定の厚さを有する高誘電体７が誘電体基板２を挟んでグランド４のグランド面４ａに対向する部位に配置されている。
【００１１】
図３に示すように、アンテナエレメント３の給電部３ｂはグランド４側に向かって突出するように形成されていると共に、グランド４の接地部４ｂはアンテナエレメント３側に向かって突出するように形成されており、例えば同軸ケーブル（図示せず）の中心導体が給電部３ｂに接続されると共に外側導体が接地部４ｂに接続されることにより高周波電力が給電されるように構成されている。尚、コプレーナ線路により高周波電力が給電されるように構成されていても良い。
【００１２】
この場合、高周波電力が給電部３ｂに給電されると、その給電部３ｂに印加された高周波電流は、アンテナエレメント３の放物線部３ｃ，３ｄに沿って流れ、折返し部３ｅ，３ｆで折返されて接続部５，６を介してグランド４に２つのループを形成して還流する。すなわち、上記した構成では、アンテナエレメント３の給電部３ｂから面方向に放射状に離れた折返し部３ｅ，３ｆが接続部５，６を介してグランド４に接続されて２つのループが形成されているので、２次元平面上に形成されたディスコーンアンテナと２つのループアンテナとを組み合わせたアンテナ装置と略同等の構成となり、特に２つのループアンテナの並列接続が双ループアンテナを構成することになる。図４は、上記したアンテナ装置１のＶＳＷＲの測定結果を示しており、通信用途として用いられる３.１〜［ＧＨｚ］では良好な特性が得られている。
【００１３】
以上に説明したように第１の実施形態によれば、アンテナ装置１において、アンテナエレメント３の給電部３ｂから面方向に放射状に離れた折返し部３ｅ，３ｆが接続部５，６を介してグランド４に接続されて２つのループが形成されているので、２次元平面上に形成されたディスコーンアンテナと２つのループアンテナとを組み合わせたアンテナ装置と略同等の構成を実現することができ、特に２つのループアンテナの並列接続が双ループアンテナを構成することから、広帯域特性を有するアンテナ装置を実現することができ、高速大容量の広帯域無線通信を実現することができる。また、グランド４と同一形状で所定の厚さを有する高誘電体７がグランド４のグランド面４ａに対向する部位に配置されているので、波長短縮効果によりグランド４の小型化をも実現することができ、アンテナ装置１全体の小型化をも実現することができる。
【００１４】
（第２の実施形態）
次に、本発明の第２の実施形態について、図５を参照して説明する。尚、上記した第１の実施形態と同一部分については説明を省略し、異なる部分について説明する。
この第２の実施形態では、第１の実施形態で説明したグランド４と高誘電体７との位置が交替されて構成されている。すなわち、アンテナ装置１１において、誘電体基板１２の表面１２ａ側には、アンテナエレメント１３が誘電体基板１２の上側に銅箔パターンにより形成され、接続部１５，１６が誘電体基板１２の左右端側に銅箔パターンにより形成されていると共に、グランド１４と同一形状で所定の厚さを有する高誘電体１７が誘電体基板１２の下側に配置されている。また、誘電体基板１２の裏面１２ｂ側には、グランド１４が誘電体基板１２の下側に銅箔パターンにより形成されており、接続部１５，１６とグランド１４とはＶＩＡを介して接続されている。
【００１５】
この場合も、高周波電力が給電部１３ｂに給電されると、その給電部１３ｂに印加された高周波電流は、アンテナエレメント１３の放物線部１３ｃ，１３ｄに沿って流れ、折返し部１３ｅ，１３ｆで折返されて接続部１５，１６及びＶＩＡを介してグランド１４に２つのループを形成して還流する。
したがって、第２の実施形態によれば、第１の実施形態に記載したものと同様にして、広帯域特性を有するアンテナ装置を実現することができ、高速大容量の広帯域無線通信を実現することができると共に、波長短縮効果によりグランド１４の小型化をも実現することができ、アンテナ装置１１全体の小型化をも実現することができる。
【００１６】
（第３の実施形態）
次に、本発明の第３の実施形態について、図６を参照して説明する。尚、上記した第１の実施形態と同一部分については説明を省略し、異なる部分について説明する。
この第３の実施形態では、アンテナエレメント、グランド及び接続部が導電性板材から構成されている。すなわち、アンテナ装置２１において、導電性板材２２は、矩形形状から２箇所が所定形状で切欠かれていることにより、アンテナエレメント２３が上側に形成され、グランド２４が下側に形成され、接続部２５，２６が左右端側に形成されて構成されている。また、グランド２４と同一形状で所定の厚さを有する高誘電体２７がグランド２４の面方向全体にわたって接合されて配置されている。
【００１７】
この場合、アンテナエレメント２３、グランド２４、接続部２５，２６及び高誘電体２７は、第１の実施形態で説明したアンテナエレメント３、グランド４、接続部５，６及び高誘電体７と同一形状であり、高周波電力が給電部２３ｂに給電されると、その給電部２３ｂに印加された高周波電流は、アンテナエレメント２３の放物線部２３ｃ，２３ｄに沿って流れ、折返し部２３ｅ，２３ｆで折返されて接続部２５，２６を介してグランド２４に２つのループを形成して還流する。
【００１８】
以上に説明したように、第３の実施形態によれば、アンテナ装置２１において、アンテナエレメント２３の給電部２３ｂから面方向に放射状に離れた折返し部２３ｅ，２３ｆが接続部２５，２６を介してグランド２４に接続されて２つのループが形成されていると共に、グランド２４と同一形状で所定の厚さを有する高誘電体２７がグランド２４の面方向全体にわたって配置されているので、第１の実施形態及び第２の実施形態に記載したものと同様にして、広帯域特性を有するアンテナ装置を実現することができ、高速大容量の広帯域無線通信を実現することができると共に、波長短縮効果によりグランド２４の小型化をも実現することができ、アンテナ装置２１全体の小型化をも実現することができる。
【００１９】
（第４の実施形態）
次に、本発明の第４の実施形態について、図７を参照して説明する。尚、上記した第３の実施形態と同一部分については説明を省略し、異なる部分について説明する。
この第４の実施形態では、第３の実施形態と比較すると、アンテナエレメント、グランド、接続部及び高誘電体の形状が異なっており、アンテナエレメントが逆三角形状に形成されている。すなわち、アンテナ装置３１において、導電性板材３２は、矩形形状から２箇所が所定形状で切欠かれていることにより、アンテナエレメント３３が上側に形成され、グランド３４が下側に形成され、接続部３５，３６が左右端側に形成されて構成されている。また、グランド３４と同一形状で所定の厚さを有する高誘電体３７がグランド３４の面方向全体にわたって接合されて配置されている。
【００２０】
この場合も、高周波電力が給電部３３ｂに給電されると、その給電部３３ｂに印加された高周波電流は、アンテナエレメント３３の直線部３３ｃ〜３３ｆに沿って流れ、折返し部３３ｇ，３３ｈで折返されて接続部３５，３６を介してグランド３４に２つのループを形成して還流する。
したがって、第４の実施形態によれば、第１の実施形態ないし第３の実施形態に記載したものと同様にして、広帯域特性を有するアンテナ装置を実現することができ、高速大容量の広帯域無線通信を実現することができると共に、波長短縮効果によりグランド３４の小型化をも実現することができ、アンテナ装置３１全体の小型化をも実現することができる。
【００２１】
（第５の実施形態）
次に、本発明の第５の実施形態について、図８及び図９を参照して説明する。尚、上記した第４の実施形態と同一部分については説明を省略し、異なる部分について説明する。
この第５の実施形態では、第４の実施形態と比較すると、アンテナエレメント、グランド、接続部及び高誘電体の形状が異なっており、アンテナエレメントの一部がＶ字形状で切欠かれた形状に形成されている。すなわち、アンテナ装置４１において、導電性板材４２は、矩形形状から３箇所が所定形状で切欠かれていることにより、アンテナエレメント４３が上側に形成され、グランド４４が下側に形成され、接続部４５，４６が左右端側に形成されて構成されている。また、グランド４４と同一形状で所定の厚さを有する高誘電体４７がグランド４４の面方向全体にわたって接合されて配置されている。
【００２２】
この場合も、高周波電力が給電部４３ｂに給電されると、その給電部４３ｂに印加された高周波電流は、アンテナエレメント４３の直線部４３ｃ，４３ｄに沿って流れ、折返し部４３ｅ，４３ｆで折返されて接続部４５，４６を介してグランド４４に２つのループを形成して還流する。図９は、上記したアンテナ装置４１のＶＳＷＲの測定結果を示しており、この場合も、第１の実施形態と同様にして、通信用途として用いられる３．１〜［ＧＨｚ］では良好な特性が得られている。
したがって、第５の実施形態によれば、第１の実施形態ないし第４の実施形態に記載したものと同様にして、広帯域特性を有するアンテナ装置を実現することができ、高速大容量の広帯域無線通信を実現することができると共に、波長短縮効果によりグランド４４の小型化をも実現することができ、アンテナ装置４１全体の小型化をも実現することができる。
【００２３】
（第６の実施形態）
次に、本発明の第６の実施形態について、図１０を参照して説明する。尚、上記した第５の実施形態と同一部分については説明を省略し、異なる部分について説明する。
この第６の実施形態では、第５の実施形態と比較すると、アンテナエレメントの近傍に無給電素子が配置されている。すなわち、アンテナ装置５１において、第５の実施形態で説明したアンテナエレメント４３のＶ字形状で切欠かれた箇所には無給電素子５２が支持部材（図示せず）で支持されて配置されている。
【００２４】
この場合も、高周波電力が給電部４３ｂに給電されると、その給電部４３ｂに印加された高周波電流は、アンテナエレメント４３の直線部４３ｃ，４３ｄに沿って流れ、折返し部４３ｅ，４３ｆで折返されて接続部４５，４６を介してグランド４４に２つのループを形成して還流する。このとき、アンテナエレメント４３の直線部４３ｇ，４３ｈと無給電素子５２の直線部５２ａ，５２ｂとが略平行して近接していることにより、アンテナエレメント４３からグランド４４に２つのループを形成して還流する高周波電流は、無給電素子５２の影響を受けることになる。
【００２５】
したがって、第６の実施形態によれば、第１の実施形態ないし第５の実施形態に記載したものと同様にして、広帯域特性を有するアンテナ装置を実現することができ、高速大容量の広帯域無線通信を実現することができると共に、波長短縮効果によりグランド４４の小型化をも実現することができ、アンテナ装置４１全体の小型化をも実現することができる。特に、この第６の実施形態では、アンテナエレメント４３の近傍に無給電素子５２が配置されているので、無給電素子５２の形状やサイズや配置位置を調整することにより、共振周波数を容易に調整することができ、アンテナ特性を容易に調整することができる。
【００２６】
（第７の実施形態）
次に、本発明の第７の実施形態について、図１１及び図１２を参照して説明する。尚、上記した第１の実施形態と同一部分については説明を省略し、異なる部分について説明する。この第７の実施形態では、第１の実施形態で説明したアンテナ装置１が２つ連結されたアンテナ装置と略同等に構成されている。すなわち、アンテナ装置６１において、誘電体基板６２の表面６２ａ側には、アンテナエレメント６３，６４が誘電体基板６２の上下側に銅箔パターンにより形成され、グランド６５が誘電体基板６２の中央側に銅箔パターンにより形成され、接続部６６〜６９が誘電体基板６２の左右端側に銅箔パターンにより形成されている。また、誘電体基板６２の裏面６２ｂ側には、グランド６５と同一形状で所定の厚さを有する高誘電体７０が誘電体基板６２を挟んでグランド６５のグランド面に対向する部位に配置されている。尚、アンテナエレメント６３，６４及びグランド６５は、それらがダイバーシチ受信する位置に配置されている。
【００２７】
この場合、高周波電力が給電部６３ｂ，６４ｂに給電されると、その給電部６３ｂに印加された高周波電流は、アンテナエレメント６３の放物線部６３ｃ，６３ｄに沿って流れ、折返し部６３ｅ，６３ｆで折返されて接続部６６，６７を介してグランド６５に２つのループを形成して還流すると共に、その給電部６４ｂに印加された高周波電流は、アンテナエレメント６４の放物線部６４ｃ，６４ｄに沿って流れ、折返し部６４ｅ，６４ｆで折返されて接続部６８，６９を介してグランド６５に２つのループを形成して還流する。
【００２８】
以上に説明したように、第７の実施形態によれば、アンテナ装置６１において、アンテナエレメント６３の給電部６３ｂから面方向に放射状に離れた折返し部６３ｅ，６３ｆが接続部６６，６７を介してグランド６５に接続されて２つのループが形成され、アンテナエレメント６４の給電部６４ｂから面方向に放射状に離れた折返し部６４ｅ，６４ｆが接続部６８，６９を介してグランド６５に接続されて２つのループが形成されていると共に、グランド６５と同一形状で所定の厚さを有する高誘電体７０がグランド６５のグランド面に対向する部位に配置されているので、第１の実施形態ないし第６の実施形態に記載したものと同様にして、広帯域特性を有するアンテナ装置を実現することができ、高速大容量の広帯域無線通信を実現することができると共に、波長短縮効果によりグランド６５の小型化をも実現することができ、アンテナ装置６１全体の小型化をも実現することができる。
【００２９】
特に、アンテナエレメント６３，６４とグランド６５との対が２つ構成され、それらがダイバーシチ受信する位置に配置されているので、それらアンテナエレメント６３，６４とグランド６５とによりダイバーシチ受信を実現することにより、アンテナ特性を高めることができる。
【００３０】
（第８の実施形態）
次に、本発明の第８の実施形態について、図１３を参照して説明する。尚、上記した第５の実施形態と同一部分については説明を省略し、異なる部分について説明する。この第８の実施形態では、第５の実施形態で説明したアンテナ装置４１が２つ連結されたアンテナ装置と略同等に構成されている。すなわち、アンテナ装置７１において、導電性板材７２は、矩形形状から６箇所が所定形状で切欠かれていることにより、アンテナエレメント７３，７４が上下側に形成され、グランド７５が中央側に形成され、接続部７６〜７９が左右端側に形成されて構成されている。また、グランド７５と同一形状で所定の厚さを有する高誘電体８０がグランド７５の面方向全体にわたって接合されて配置されている。尚、アンテナエレメント７３，７４及びグランド７５は、それらがダイバーシチ受信する位置に配置されている。
【００３１】
この場合も、高周波電力が給電部７３ｂ，７４ｂに給電されると、その給電部７３ｂに印加された高周波電流は、アンテナエレメント７３の直線部７３ｃ，７３ｄに沿って流れ、折返し部７３ｅ，７３ｆで折返されて接続部７６，７７を介してグランド７５に２つのループを形成して還流すると共に、その給電部７４ｂに印加された高周波電流は、アンテナエレメント７４の直線部７４ｃ，７４ｄに沿って流れ、折返し部７４ｅ，７４ｆで折返されて接続部７８，７９を介してグランド７５に２つのループを形成して還流する。
【００３２】
したがって、第８の実施形態によれば、第１の実施形態ないし第７の実施形態に記載したものと同様にして、広帯域特性を有するアンテナ装置を実現することができ、高速大容量の広帯域無線通信を実現することができると共に、波長短縮効果によりグランド７５の小型化をも実現することができ、アンテナ装置７１全体の小型化をも実現することができる。そして、この場合も、アンテナエレメント７３，７４とグラン７５との対が２つ構成され、それらがダイバーシチ受信する位置に配置されているので、それらアンテナエレメント７３，７４とグランド７５とによりダイバーシチ受信を実現することにより、アンテナ特性を高めることができる。
【００３３】
（その他の実施形態）
本発明は、上記した実施形態にのみ限定されるものではなく、以下のように変形または拡張することができる。
アンテナ装置８１（図１４参照）やアンテナ装置９１（図１５参照）に示すように、アンテナエレメント及びグランドの形状は他の形状であっても良い。
高誘電体が省略された構成であっても良い。
【図面の簡単な説明】
【００３４】
【図１】本発明の第１の実施形態を示すもので、正面側から見た外観斜視図
【図２】背面側から見た外観斜視図
【図３】給電部及び接地部を示す図
【図４】ＶＳＷＲの測定結果を示す図
【図５】本発明の第２の実施形態を示すもので、正面側から見た外観斜視図
【図６】本発明の第３の実施形態を示すもので、正面側から見た外観斜視図
【図７】本発明の第４の実施形態を示すもので、正面側から見た外観斜視図
【図８】本発明の第５の実施形態を示すもので、正面側から見た外観斜視図
【図９】図４相当図
【図１０】本発明の第６の実施形態を示すもので、正面側から見た外観斜視図
【図１１】本発明の第７の実施形態を示すもので、正面側から見た外観斜視図
【図１２】図２相当図
【図１３】本発明の第８の実施形態を示すもので、正面側から見た外観斜視図
【図１４】本発明のその他の実施形態を示すもので、正面側から見た外観斜視図
【図１５】図１４相当図
【符号の説明】
【００３５】
図面中、１はアンテナ装置、２は誘電体基板、３はアンテナエレメント、３ａはアンテナエレメント面、３ｂは給電部、３ｅ，３ｆは折返し部、４はグランド、４ａはグランド面、５，６は接続部、７は高誘電体、１１はアンテナ装置、１２は誘電体基板、１３はアンテナエレメント、１３ｂは給電部、１３ｅ，１３ｆは折返し部、１４はグランド、１５，１６は接続部、１７は高誘電体、２１はアンテナ装置、２２は導電性板材、２３はアンテナエレメント、２３ｂは給電部、２３ｅ，２３ｆは折返し部、２４はグランド、２５，２６は接続部、２７は高誘電体、３１はアンテナ装置、３２は導電性板材、３３はアンテナエレメント、３３ｂは給電部、３３ｇ，３３ｈは折返し部、３４はグランド、３５，３６は接続部、３７は高誘電体、４１はアンテナ装置、４２は導電性板材、４３はアンテナエレメント、４３ｂは給電部、４３ｅ，４３ｆは折返し部、４４はグランド、４５，４６は接続部、４７は高誘電体、５１はアンテナ装置、５２は無給電素子、６１はアンテナ装置、６２は誘電体基板、６３，６４はアンテナエレメント、６３ｂ，６４ｂは給電部、６３ｅ，６３ｆ，６４ｅ，６４ｆは折返し部、６５はグランド、６６〜６９は接続部、７０は高誘電体、７１はアンテナ装置、７２は導電性板材、７３，７４はアンテナエレメント、７３ｂ，７４ｂは給電部、７３ｅ，７３ｆ，７４ｅ，７４ｆは折返し部、７５はグランド、７６〜７９は接続部、８０は高誘電体、８１はアンテナ装置、９１はアンテナ装置である。
【図１】
2007274424.tif 000003
【図２】
2007274424.tif 000004
【図３】
2007274424.tif 000005
【図４】
2007274424.tif 000006
【図５】
2007274424.tif 000007
【図６】
2007274424.tif 000008
【図７】
2007274424.tif 000009
【図８】
2007274424.tif 000010
【図９】
2007274424.tif 000011
【図１０】
2007274424.tif 000012
【図１１】
2007274424.tif 000013
【図１２】
2007274424.tif 000014
【図１３】
2007274424.tif 000015
【図１４】
2007274424.tif 000016
【図１５】
2007274424.tif 000017